(57)【特許請求の範囲】
【請求項１】
遊技客の遊技場への入場を管理する入場管理システムであって、
前記遊技場への入場を整理するための整理券として、入場整理情報が記録された記録媒体を発行する整理券発行機と、
前記整理券発行機によって整理券として発行された記録媒体から、入場整理情報を読み取る情報読取装置と、
前記情報読取装置によって整理券から読み取られた入場整理情報に基づいて、前記整理券を所持した遊技客の来場可否または入場可否を管理する管理装置とを備え、
前記整理券発行機または前記管理装置は、
予約対象として選択された遊技台の遊技機種に空き台が存在する場合に、所定の当選確率をもとに当選又は落選を抽選処理し、この抽選で当選したならば、該遊技機種の空き台のなかから台番号を抽選処理する抽選処理手段をさらに備え、
前記整理券発行機は、
前記抽選処理手段による抽選処理で決定された遊技台の台番号を含む入場整理情報が記録された記録媒体を発行する
ことを特徴とする入場管理システム。 
【請求項２】
前記抽選処理手段は、会員登録された遊技客の会員用記録媒体を受け付けた場合には、該遊技客の遊技店への貢献度に応じて前記所定の当選確率を変動させることを特徴とする請求項１に記載の入場管理システム。
【請求項３】
前記整理券発行機または前記管理装置は、
前記整理券発行機による整理券の発行によって遊技台の遊技機種または遊技台の台番号が予約された予約台と、該予約台以外の空き台との表示態様を区別して前記遊技場の俯瞰図を表示するように制御する表示制御手段をさらに備えたことを特徴とする請求項１または２に記載の入場管理システム。 
【請求項４】
遊技客の遊技場への入場を管理する入場管理方法であって、
予約対象として選択された遊技台の遊技機種に空き台が存在する場合に、所定の当選確率をもとに当選又は落選を抽選処理し、この抽選で当選したならば、該遊技機種の空き台のなかから台番号を抽選処理する抽選処理工程と、
前記遊技場への入場を整理するための整理券として、前記抽選処理工程の抽選処理で決定された遊技台の遊技機種または遊技台の台番号を含む入場整理情報が記録された記録媒体を発行する整理券発行工程と、
前記整理券発行工程によって整理券として発行された記録媒体から、入場整理情報を読み取る情報読取工程と、
前記情報読取工程によって整理券から読み取られた入場整理情報に基づいて、前記整理券を所持した遊技客の来場可否または入場可否を管理する管理工程と
を含んだことを特徴とする入場管理方法。 
【発明の詳細な説明】
【技術分野】
【０００１】
本発明は、遊技客の遊技場への入場を管理する入場管理システムおよび入場管理方法に関する。
【背景技術】
【０００２】
従来より、パチンコ遊技やスロット遊技などの遊技を提供する遊技店において、新装オープンや新台入替に伴う各種の「イベント」が行われた場合には、その「イベント」の開始時点（開店時間）前から多数の遊技客が訪れることとなる。
【０００３】
このように、開店時間前から多数の遊技客が遊技店に訪れた場合には、これらの遊技客を店外に並ばせることになるので、特定の遊技客によって列への割り込み行為が行われたり、また、遊技客が店外で煩雑な列を成している場合には、遊技場への入場順位に係る口論が遊技客同士で行われたりというように遊技客間のトラブルが後を絶たない。
【０００４】
このため、特許文献１では、「イベント」の当日もしくは事前に、「日時」とともに、「入場順位」または遊技台の「遊技機種」や「台番号」が指定された「整理券」を遊技客に発行する整理券端末が開示されている。かかる整理券端末によれば、遊技客が遊技場に入場する際に、従業員がかかる「整理券」を回収し、「整理券」を所持している遊技客を優先的に入場させることで、遊技客間のトラブルを一定の妥当性をもって抑制することができる。
【０００５】
【特許文献１】特開２００５−０２７９００号公報
【発明の開示】
【発明が解決しようとする課題】
【０００６】
ところで、遊技店では、遊技客を遊技場に入場させる時点で、遊技場に設けられたすべての遊技台分の「整理券」が配布されていない場合や、「整理券」の配布を事前に受けながらも来場してない遊技客が存在する場合などには、遊技店内の遊技台に「空き台」が生じるので、「整理券」を所持していない遊技客に「空き台」を再配分する必要がある。
【０００７】
しかしながら、上記した従来技術（特許文献１）は、遊技客に配布した「整理券」を回収し、該回収された「整理券」の回収状況から「空き台」の特定する作業を従業員が行うものであるため、「整理券」を所持した遊技客の遊技店への来場状況または遊技場への入場状況を正確に把握することができず、遊技場内の空き台の再配分を適確に行うことができないという問題点があった。
【０００８】
特に、遊技台の遊技機種や台番号を指定した「整理券」を遊技客に配布した場合には、回収した「整理券」ごとに指定されている遊技台の遊技機種または台番号を識別し、当該遊技機種もしくは当該台番号に該当する遊技台を「案内済み」の遊技台として集計し、さらに「案内済み」の遊技台から遊技店内の「空き台」を特定する必要があるが、これら「整理券」の回収・識別作業、「案内済み」の遊技台の集計作業、並びに「空き台」の特定作業を従業員に行わせたのでは、「整理券」に印字された台番号の誤認などの識別作業のミス、回収した「整理券」の台番号の集計忘れなどの集計作業のミスや、「空き台」の特定作業のミスなど、従業員による「作業ミス」が生じるおそれがある。
【０００９】
かかる従業員による「作業ミス」が生じた場合には、「整理券」を所持した遊技客の来場状況または入場状況を正確に把握することができないので、遊技場内の空き台の再配分を適確に行うことができず、一つの遊技台に複数の遊技客を誘導してしまったり、「空き台」にも拘わらず、遊技客を誘導しなかったりなど、遊技客に不利益な事態を招くこととなり、遊技店と遊技客の間でトラブルが生じることも少なくない。
【００１０】
そこで、本発明は、上述した従来技術による課題（問題点）を解消するためになされたものであり、遊技場内の空き台の再配分を適確に行うことができる入場管理システムおよび入場管理方法を提供することを目的とする。
【課題を解決するための手段】
【００１１】
上述した課題を解決し、目的を達成するために、本発明は、遊技客の遊技場への入場を管理する入場管理システムであって、前記遊技場への入場を整理するための整理券として、入場整理情報が記録された記録媒体を発行する整理券発行機と、前記整理券発行機によって整理券として発行された記録媒体から、入場整理情報を読み取る情報読取装置と、前記情報読取装置によって整理券から読み取られた入場整理情報に基づいて、前記整理券を所持した遊技客の来場可否または入場可否を管理する管理装置とを備え、前記整理券発行機または前記管理装置は、予約対象として選択された遊技台の遊技機種に空き台が存在する場合に、所定の当選確率をもとに当選又は落選を抽選処理し、この抽選で当選したならば、該遊技機種の空き台のなかから台番号を抽選処理する抽選処理手段をさらに備え、前記整理券発行機は、前記抽選処理手段による抽選処理で決定された遊技台の台番号を含む入場整理情報が記録された記録媒体を発行することを特徴とする。 
【００１２】
また、本発明は、上記発明において、前記抽選処理手段は、会員登録された遊技客の会員用記録媒体を受け付けた場合には、該遊技客の遊技店への貢献度に応じて前記所定の当選確率を変動させることを特徴とする。
【００１３】
また、本発明は、上記発明において、前記整理券発行機または前記管理装置は、前記整理券発行機による整理券の発行によって遊技台の遊技機種または遊技台の台番号が予約された予約台と、該予約台以外の空き台との表示態様を区別して前記遊技場の俯瞰図を表示するように制御する表示制御手段をさらに備えたことを特徴とする。
【００１４】
また、本発明は、遊技客の遊技場への入場を管理する入場管理方法であって、予約対象として選択された遊技台の遊技機種に空き台が存在する場合に、所定の当選確率をもとに当選又は落選を抽選処理し、この抽選で当選したならば、該遊技機種の空き台のなかから台番号を抽選処理する抽選処理工程と、前記遊技場への入場を整理するための整理券として、前記抽選処理工程の抽選処理で決定された遊技台の遊技機種または遊技台の台番号を含む入場整理情報が記録された記録媒体を発行する整理券発行工程と、前記整理券発行工程によって整理券として発行された記録媒体から、入場整理情報を読み取る情報読取工程と、前記情報読取工程によって整理券から読み取られた入場整理情報に基づいて、前記整理券を所持した遊技客の来場可否または入場可否を管理する管理工程とを含んだことを特徴とする。
【発明の効果】
【００１５】
本発明によれば、予約対象として選択された遊技台の遊技機種に空き台が存在する場合に、所定の当選確率をもとに当選又は落選を抽選処理し、この抽選で当選したならば、該遊技機種の空き台のなかから台番号を抽選処理し、遊技場への入場を整理するための整理券として、抽選処理で決定された遊技台の遊技機種または遊技台の台番号を含む入場整理情報が記録された記録媒体を発行し、整理券として発行された記録媒体から、入場整理情報を読み取り、整理券から読み取られた入場整理情報に基づいて、整理券を所持した遊技客の来場可否または入場可否を管理することとしたので、遊技場内の遊技台の空き状況を正確に把握することができ、遊技場内の空き台の再配分を適確に行うことができる。特に、選択された遊技台の遊技機種の当落抽選並びに遊技台の抽選を行うこととしたため、遊技客間での不平等な格差をなくすことができる。
【００１６】
また、本発明によれば、会員登録された遊技客の会員用記録媒体を受け付けた場合には、該遊技客の遊技店への貢献度に応じて所定の当選確率を変動させることとしたので、遊技店に貢献した遊技客を優遇しつつ整理券を発行することができる。
【００１７】
また、本発明によれば、整理券の発行によって遊技台の遊技機種または遊技台の台番号が予約された予約台と、該予約台以外の空き台との表示態様を区別して遊技場の俯瞰図を表示するように制御することとしたので、既に他の遊技客によって予約されている遊技台と、未だ予約されていない空き台とを明確に判別させることができ、遊技客が遊技先として所望する遊技台を容易に選択させることが可能な入場管理システムが得られるという効果を奏する。
【発明を実施するための最良の形態】
【００１８】
以下に添付図面を参照して、本発明に係る入場管理システム（入場管理方法）の好適な実施例を詳細に説明する。なお、ここでは、本発明に係る入場管理システムの概要および特徴を説明した後に、実施例１に係る入場管理システムを説明し、最後に、他の実施例として種々の変形例（実施例２）を説明することとする。
【００１９】
（概要および特徴）
まず最初に、本発明に係る入場管理システムの概要および特徴を説明する。図１は、本発明に係る入場管理システムの概要および特徴を説明するための説明図である。同図に示すように、この入場管理システム１は、遊技客の遊技場への入場を管理するものであり、具体的には、新装オープンや新台入替に伴う各種の「イベント」が行われた場合などに、遊技店に訪れる多数の遊技客に対して入場整理を行うためのシステムである。
【００２０】
ここで、本発明に係る入場管理システム１は、遊技場への入場を整理するための整理券として、入場整理情報が記録された記録媒体または入場整理情報が関連付けられた記録媒体を発行する整理券発行機２０と、整理券発行機２０によって整理券として発行された記録媒体から、入場整理情報または入場整理情報が関連付けられた整理券識別情報を読み取る情報読取装置３０と、情報読取装置３０によって整理券から読み取られた入場整理情報または入場整理情報が関連付けられた整理券識別情報に基づいて、整理券を所持した遊技客の来場可否または入場可否を管理する管理装置１０とでシステムを構成した点に主たる特徴があり、このように入場管理システムを構成することによって、遊技場内の空き台の再配分を適確に行うことができるようにしている。
【００２１】
この主たる特徴を具体的に説明すると、整理券発行機２０は、遊技客の遊技場への入場を整理するために、入場整理情報そのものが記録された記録媒体（例えば、バーコードが印字された印刷物、磁気カードやＩＣカードなど）、或いは管理装置１０で記憶管理される入場整理情報に関連付けられた整理券識別情報を記録した記録媒体を整理券１１０として発行する。なお、かかる「入場整理情報」とは、当該整理券が有効となる「日時」に、遊技場への「入場順位」、入場時の遊技先「遊技機種」或いは「台番号」を対応付けた情報を指す。
【００２２】
また、整理券発行機２０による「整理券」の発行は、遊技場への「入場予約」の受託と等価であるため、以後に、同一の入場整理情報が記録された「整理券」を発行し、重複した入場予約を受託することを防止するために、整理券発行機２０では、発行した「整理券」の入場整理情報を「入場予約情報」として管理装置１０に通知する。なお、本実施例では、整理券発行機２０は、「整理券」となる記録媒体として、「入場整理情報」を示すバーコードが印字された「印刷物」を発行し、かかる整理券を読み取るための情報読取装置として、バーコードリーダを用いることとする。
【００２３】
一方、情報読取装置３０では、「整理券」を所持した遊技客の来場可否または入場可否を管理装置１０で記憶管理するために、整理券発行機２０によって「整理券」として発行された記録媒体から、入場整理情報または入場整理情報が関連付けられた整理券識別情報を読み取る。
【００２４】
かかるバーコードリーダ３０による「整理券」の読取は、遊技客の遊技店への来場または遊技客の遊技場への入場と等価であるため、バーコードリーダ３０では、「整理券」から読み取った入場整理情報または整理券識別情報を「入場（来場）情報」として管理装置１０に通知する。
【００２５】
そして、管理装置（以下、ターミナルコントローラ：Ｔ／Ｃと言う。）１０は、バーコードリーダ３０によって「整理券」から読み取られた入場整理情報または入場整理情報が関連付けられた整理券識別情報に基づいて、「整理券」を所持した遊技客の来場可否または入場可否を記憶管理する。
【００２６】
ここで、Ｔ／Ｃ１０は、「整理券」を所持した遊技客が遊技場に入場した後に、「整理券」の読取処理が行われた場合（例えば、遊技場の出入口で「整理券」の回収を行う場合）には、「整理券」を所持した遊技客の「遊技場への入場可否」を管理し、また、「整理券」を所持した遊技客が遊技店に来場した際に、「整理券」の読取処理が行われた場合（例えば、店外で「整理券」の回収を行う場合）には、「整理券」を所持した遊技客の「遊技店への来場可否」を管理する。なお、本実施例では、「整理券」を所持した遊技客が遊技店に来場した際に、バーコードリーダ３０による「整理券」の読取を行うこととし、Ｔ／Ｃ１０では、「遊技店への来場可否」を管理することとする。
【００２７】
例えば、図１に示すように、入場整理情報として、遊技台の「台番号」が記録された「整理券」を遊技客に発行した場合には、Ｔ／Ｃ１０は、バーコードリーダ３０から「台番号」が通知される度に、当該「台番号」の来場可否（例えば、来場「○」、未来場「×」）を更新する。また、バーコードリーダから「整理券識別情報」が通知された場合も同様に、当該「整理券識別情報」に関連付けられた「台番号」の来場可否を更新する。
【００２８】
このように、「整理券」から入場整理情報を読み取る度、すなわち「整理券」を所持した遊技客が遊技場に来場する度に、当該遊技客が遊技店に来場した旨（すなわち、遊技客が入場予約を遵守した旨）を管理することで、これらの「整理券」を所持した遊技客すべての来場状況を正確に把握することができ、遊技場内の遊技台の空き状況（すなわち、台番号「２０２」の遊技台が）を正確に把握することができる。
【００２９】
例えば、図１に示す例で言えば、遊技台の台番号「２０１」、「２０３」・・・「２０Ｍ」および「３０１」・・・の遊技台を予約した遊技客は、遊技店に来場しているが、台番号「２０２」の遊技台を予約した遊技客は、遊技店に来場しておらず、この台番号「２０２」の遊技台が「空き台」であることを正確に記憶管理することができる。
【００３０】
したがって、上記した従来技術の例で言えば、遊技客に配布した「整理券」を回収し、該回収された「整理券」の回収状況から「空き台」の特定する作業を従業員に行わせることで、「整理券」を所持した遊技客の入場状況を正確に把握できない状況に陥らせるのではなく、バーコードリーダ３０によって「整理券」から読み取られた入場整理情報または入場整理情報が関連付けられた整理券識別情報に基づいて、「整理券」を所持した遊技客の来場可否または入場可否を管理することで、遊技場内の遊技台の空き状況を正確に把握することができ、上記した主たる特徴のように、遊技場内の空き台の再配分を適確に行うことが可能になる。
【実施例１】
【００３１】
次に、本実施例１に係る入場管理システムを説明する。なお、ここでは、本実施例１に係る入場管理システムの構成を説明した後に、この入場管理システムの各種処理の手順について説明することとする。
【００３２】
（入場管理システムの構成）
図２は、本実施例１に係る入場管理システムの構成を示すシステム構成図である。同図に示すように、この入場管理システム１は、整理券発行機２０と、バーコードリーダ３０と、Ｔ／Ｃ１０とを備える。
【００３３】
このうち、整理券発行機２０は、遊技客の遊技場への入場を整理するための「整理券」を発行するものであり、図２に示すように、表示入力部２１、印字部２２、通信部２３、記憶部２４および制御部２５を備える。
【００３４】
表示入力部２１は、液晶パネルやディスプレイなど表示デバイスで構成された表示入力手段であり、例えば、入場予約に係る条件選択画面（図４参照）７００、入場予約の受付確認画面（図４参照）７１０を表示したり、また、この条件選択画面７００で遊技客が入場予約する「日時」や遊技先として予約する遊技台の「遊技機種」の選択入力を受け付けたり、受付確認画面７１０で入場予約を実行するか否かの確認入力を受け付けたりする。
【００３５】
印字部２２は、後述する整理券発行制御部２５ｂからの「整理券発行指示」を受け付けた場合に、「入場整理情報」を示すバーコードを記録媒体に印字することによって「整理券」を発行する処理部である。なお、本実施例１では、「入場整理情報」を示すバーコードが印字された「印刷物」を「整理券」として発行することとしたが、本発明はこれに限定されるものではなく、「入場整理情報」が記録された磁気カードやＩＣカードなど他の記録媒体を発行するようにしても良い。
【００３６】
通信部（送信部・受信部）２３は、Ｔ／Ｃ１０との間でデータの送受信を行う処理部であり、例えば、遊技客から選択入力を受け付けた遊技台の「遊技機種」に「空き台」が存在するか否かを照査したり、後述する入場予約情報通知部２５ｃによる入場予約通知指示をもとに、入場予約された遊技台の「遊技機種」や「台番号」などの入場整理情報を「入場予約情報」としてＴ／Ｃ１０に送信したりする。なお、本実施例１では、整理券発行機２０、バーコードリーダ３０およびＴ／Ｃ１０の間のデータの送受信を無線通信で行うこととするが、本発明は無線通信に限るものではなく、有線による通信を行うようにしても良い。
【００３７】
制御部２５は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、抽選処理部２５ａ、整理券発行制御部２５ｂおよび入場予約情報通知部２５ｃを有する。
【００３８】
このうち、抽選処理部２５ａは、表示入力部２１で遊技客から選択入力を受け付けた「遊技機種」に「空き台」が存在する場合に、該選択入力された「遊技機種」の「台番号」の抽選処理を行う処理部である。具体的には、所定の当選確率をもとに「当選」或いは「落選」を抽選し、この抽選に「当選」した場合には、さらに「空き台」の中から遊技台の台番号をランダムに抽選する。また、この抽選に「落選」した場合には、遊技機種再選択画面７２０において他の「遊技機種」の選択を受け付け、かかる抽選処理を同様に行う。
【００３９】
このように、予約対象となる遊技台の遊技機種および／または台番号の抽選処理を行うことで、遊技客間に不平等格差を設けず、或いは遊技客間に遊技店への貢献度に応じた重み付けを行って、遊技客が所望する遊技台への整理券を発行することができ、遊技店の経営方針に応じた入場整理を行うことが可能になる。
【００４０】
整理券発行制御部２５ｂは、抽選処理部２５ａによる抽選が当選し、遊技台の「台番号」が抽選された場合に、「整理券」を発行するように制御する処理部であり、具体的には、遊技台の「台番号」などの入場整理情報を含む「整理券発行指示」を印字部２２に出力して「整理券」を発行するように制御する。
【００４１】
図１に示す例で言えば、整理券発行制御部２５ｂは、遊技店名「パーラー×××」、当該整理券の対象日時「２００５年７月１日」、予約された遊技台の遊技機種「Ａ」および台番号「２０１」を印字するように印字部２２に指示する。
【００４２】
入場予約情報通知部２５ｃは、整理券発行制御部２５ｂによって「整理券」が発行された場合に、少なくとも「入場整理情報」を含む「入場予約情報」をＴ／Ｃ１０に送信するように制御する処理部である。例えば、図１の例で言えば、整理券１１０を発行することで遊技場への「入場予約」を受け付けた場合に、入場予約された遊技台の台番号「２０１」に予約受付フラグ「ＯＮ」を関連付けた「入場予約情報」を通信部２３を介してＴ／Ｃ１０に送信する。
【００４３】
一方、バーコードリーダ３０は、整理券発行機２０によって発行された「整理券」から入場整理情報を読み取るためのハンディ型の情報読取装置であり、図２示すように、入力部３１と、出力部３２と、通信部３３と、バーコード読取部３４と、制御部３５ａとを備える。
【００４４】
このうち、入力部３１は、ユーザーからの入力操作を受け付けるインターフェースであり、例えば、後述するバーコード読取部３４で読み取り不可能な「整理券」が存在した場合（例えば、バーコードの印字部分の劣化が激しい場合）に、従業員から「入場整理情報」の入力を受け付ける。また、出力部３２は、液晶パネルやディスプレイなどの表示デバイスであり、例えば、バーコード読取部３４によって読み取られた「入場整理情報」を表示する。
【００４５】
通信部（送信部・受信部）３３は、Ｔ／Ｃ１０との間でデータの送受信を行う処理部であり、例えば、後述する来場情報通知部３５ａによる来場情報通知指示をもとに、バーコードリーダ３０で読み出された「入場整理情報」を「来場情報」としてＴ／Ｃ１０に送信する。
【００４６】
バーコード読取部３４は、「入場整理情報」を示すバーコードが印字された「整理券」から入場整理情報を読み取る処理部である。例えば、図１の例で言えば、整理券１１０から、対象日時「２００５年７月１日」、予約された遊技台の遊技機種「Ａ」および台番号「２０１」を読み取る。
【００４７】
制御部３５は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、来場情報通知部３５ａを備える。
【００４８】
この来場情報通知部３５ａは、バーコード読取部３４によって「整理券」から「入場整理情報」が読み出された場合に、少なくとも「入場整理情報」を含む「来場情報」をＴ／Ｃ１０に送信するように制御する処理部である。例えば、図１の例で言えば、整理券１１０が読み取られ、遊技客が台番号「２０１」で遊技することが担保された場合に、当該遊技台の台番号「２０１」に来場フラグ「ＯＮ」を関連付けた「来場情報」を通信部３３を介してＴ／Ｃ１０に送信する。なお、この「来場情報」には、他の種々の情報（例えば、入場予約の受付時間や会員番号など）を付加することができる。
【００４９】
また、Ｔ／Ｃ１０は、遊技店に少なくとも１台設置してあり、設置した遊技店の統括管理、例えばカード管理、会員の管理、売上管理などを行う管理装置であり、図２に示すように、入力部１１と、出力部１２と、通信部１３と、入場管理ＤＢ１４と、主制御部１５とを備える。なお、ここでは、遊技場への入場管理に係る機能を主に説明することとする。
【００５０】
このうち、入力部１１は、各種の情報を入力するキーボード、マウスおよびトラックボールなどの指示入力手段であり、例えば、遊技台の入替や増台に伴う入場管理ＤＢ１４のデータ構造の変更を受け付ける。
【００５１】
また、出力部１２は、各種の情報を出力するモニタなどの出力表示手段であり、例えば、入場管理ＤＢ１４によって記憶管理された「予約受付可否」および「来場可否」をもとに、遊技客の入場予約状況や来場状況を表示する。
【００５２】
通信部（送信部・受信部）１３は、整理券発行機２０およびバーコードリーダ３０との間でデータの送受信を行う処理部であり、例えば、整理券発行機２０で「整理券」を発行する際に行われる「空き台」の問合せ処理に対する応答処理を行う。
【００５３】
入場管理ＤＢ１４は、遊技客の遊技店への来場可否または遊技場への入場可否を記憶管理するデータベースであり、入場整理情報（例えば、「台番号」）に来場（入場）可否を対応付けて記憶している。例えば、図３−２に示すように、遊技台の台番号「２０１」に、予約受付可否「済」および来場可否「○（来場）」を対応付けて記憶している。
【００５４】
制御部１５は、ＯＳ（Operating System）などの制御プログラム、各種の処理手順などを規定したプログラムおよび所要データを格納するための内部メモリを有し、これらによって種々の処理を実行する処理部であり、特に本発明に密接に関連するものとしては、予約受付可否更新部１５ａおよび来場可否更新部１５ｂを備える。
【００５５】
このうち、予約受付可否更新部１５ａは、整理券発行機２０から受信した「入場予約情報」に基づいて、入場予約の受付可否を更新する処理部である。例えば、図１の例で言えば、整理券発行機２０から遊技台の台番号「２０１」に予約受付フラグ「ＯＮ」が関連付けられた「入場予約情報」を受信した場合に、入場管理ＤＢ１４における台番号「２０１」の予約受付可否を「済」（入場予約済み）に更新する（図３−１参照）。
【００５６】
来場可否更新部１５ｃは、バーコードリーダ３０から受信した「入場情報」に基づいて、遊技客の遊技店への来場可否を更新する処理部である。例えば、図１の例で言えば、バーコードリーダ３０から遊技台の台番号「２０１」に来場フラグ「ＯＮ」が関連付けられた「来場情報」を受信した場合に、入場管理ＤＢにおける台番号「２０１」の来場可否を「○」（来場）に更新する（図３−２参照）。
【００５７】
このように、「整理券」から入場整理情報を読み取る度、すなわち「整理券」を所持した遊技客が遊技場に来場する度に、入場整理情報「台番号」に対応する来場可否（すなわち、遊技客が入場予約を遵守した旨）を更新することで、これらの「整理券」を所持した遊技客すべての来場状況を正確に把握することができるようにしている。
【００５８】
（各種処理の手順）
次に、本実施例１に係る入場管理システムの各種処理の手順について説明する。なお、ここでは、入場整理情報が記憶された「整理券」を発行する（１）整理券発行処理を説明した後に、「整理券」に記録された入場整理情報を読み取る（２）情報読取処理を説明することとする。
【００５９】
（１）整理券発行処理
図５は、本実施例１に係る整理券発行処理の手順を示すフローチャートである。同図に示すように、この「整理券発行処理」は、表示入力部２１で遊技客から「整理券」の発行要求を受け付けた場合に、開始されることとなる。
【００６０】
そして、表示入力部２１は、遊技客から「整理券」の発行要求を受け付けたならば（ステップＳ５０１肯定）、図４に示す条件選択画面７００で、当該遊技客が入場予約を希望する「日時」および遊技先として予約を希望する遊技台の「遊技機種」の選択入力を受け付ける（ステップＳ５０２）。
【００６１】
ここで、抽選処理部２５ａは、表示入力部２１で遊技客から選択入力を受け付けた遊技台の「遊技機種」に「空き台」が存在するか否かを通信部２３を介してＴ／Ｃ１０に問い合わせて照査する（ステップＳ５０３）。
【００６２】
そして、遊技客から選択入力を受け付けた「遊技機種」に「空き台」が存在する場合（ステップＳ５０３肯定）に、抽選処理部２５ａは、所定の当選確率をもとに「当選」或いは「落選」を抽選する（ステップＳ５０４）。
【００６３】
遊技客が選択入力した「遊技機種」に「空き台」がなかったり（ステップＳ５０３否定）、前記抽選に「落選」した場合（ステップＳ５０５否定）には、他の「遊技機種」の予約を希望するか否かの確認をとる（ステップＳ５０９）。具体的には、表示入力部２１に図４に示す遊技機種再選択画面７２０が表示される。ここで「取り止め」を押下すれば（ステップＳ５０９否定）、予約操作は終了される。一方、他の「遊技機種」の予約を希望するのであれば（ステップＳ５０９肯定）、同画面７２０において他の「遊技機種」、すなわち遊技機種Ａ以外の遊技機種Ｂ、ＣまたはＤの中から遊技機種の選択を受け付け、上記のステップＳ５０２〜Ｓ５０４までの処理を同様に行う。
【００６４】
また、かかる抽選に「当選」した場合（ステップＳ５０５肯定）には、抽選処理部２５ａは、「空き台」の中から選択入力された遊技機種の台番号「２０１」をさらに抽選し、表示入力部２１は、図４に示す受付確認画面７１０において、該抽選した台番号「２０１」で入場予約を実行するか否かの確認入力を受け付ける（ステップＳ５０６）。
【００６５】
続いて、当該台番号「２０１」で入場予約を実行する確認入力を受け付けた場合（ステップＳ５０６）には、整理券発行制御部２５ｂは、遊技店名「パーラー×××」、当該整理券の対象日時「２００５年７月１日」、予約された遊技台の遊技機種「Ａ」および台番号「２０１」を印字するように印字部２２に指示する（ステップＳ５０７）。
【００６６】
その後、入場予約情報通知部２５ｃは、整理券１１０を発行することで遊技場への「入場予約」を受け付けた場合に、入場予約された遊技台の台番号「２０１」に予約受付フラグ「ＯＮ」を関連付けた「入場予約情報」を通信部２３を介してＴ／Ｃ１０に送信し（ステップＳ５０８）、処理を終了する。
【００６７】
このように、以後、同一の入場整理情報が記録された「整理券」を発行し、重複した入場予約を受託することを防止するために、整理券発行機２０では、発行した「整理券」の入場整理情報を「入場予約情報」としてＴ／Ｃ１０に通知する。
【００６８】
（２）情報読取処理
図６は、本実施例１に係る情報読取処理の手順を示すフローチャートである。同図に示すように、この「情報読取処理」は、従業員によって「整理券」の読取操作が行われた場合に開始されることとなる。なお、ここは、図１に示す整理券１１０に記憶された「入場整理情報」を読み取る場合の例について説明する。
【００６９】
ここで、従業員によって「整理券」の読取操作が行われた場合（ステップＳ６０１肯定）に、バーコード読取部３４は、整理券１１０から、対象日時「２００５年７月１日」、予約された遊技台の遊技機種「Ａ」および台番号「２０１」を読み取る（ステップＳ６０２）。
【００７０】
続いて、来場情報通知部３５ａは、当該遊技台の台番号「２０１」に来場フラグ「ＯＮ」を関連付けた「来場情報」を通信部３３を介してＴ／Ｃ１０に送信し（ステップＳ６０３）、処理を終了する。
【００７１】
このため、「整理券」から入場整理情報を読み取る度、すなわち「整理券」を所持した遊技客が遊技場に来場する度に、入場整理情報「台番号」に対応する来場可否（すなわち、遊技客が入場予約を遵守した旨）をＴ／Ｃ１０に通知し、Ｔ／Ｃ１０で来場可否を随時更新することで、「整理券」を所持した遊技客すべての来場状況を正確に把握することができる。
【００７２】
上述してきたように、本実施例１に係る入場管理システム１によれば、「整理券」を所持した遊技客すべての来場状況を正確に把握することができ、遊技場内の空き台の再配分を適確に行うことが可能になる。
【実施例２】
【００７３】
さて、これまで本発明の実施例について説明したが、本発明は上述した実施例以外にも、種々の異なる実施例にて実施されてもよいものである。そこで、以下に示すように、（１）整理券の発行、（２）遊技機種または台番号の抽選、（３）その他等にそれぞれ区分けして異なる実施例を説明する。
【００７４】
（１）整理券の発行
例えば、実施例１では、「入場整理情報」として台番号が指定された「整理券」を発行することとしたが、本発明はこれに限定されるものではなく、遊技台の「遊技機種」或いは「入場順位」が指定された「整理券」を発行する場合にも同様に適用することができる。
【００７５】
また、実施例１では、「入場整理情報」そのものが記録された記録媒体を「整理券」として発行する実施例について説明したが、本発明はこれに限定されるものではなく、Ｔ／Ｃ１０で記憶管理される「入場整理情報」に関連付けられた整理券識別情報を記録した記録媒体を「整理券」として発行する場合にも同様に適用することができる。
【００７６】
また、実施例１では、遊技場への入場を予約する際に、予約対象となる遊技台の台番号を抽選で決定することとしたが、本発明はこれに限定されるものではなく、所望の遊技機種および／または所望の台番号を遊技客に選択させるようにしても良い。
【００７７】
例えば、図７に示すように、表示入力部２１では、Ｔ／Ｃ１０における入場管理ＤＢ１４で記憶管理される情報をもとに、整理券発行機２０による「整理券」の発行によって遊技台の遊技機種または遊技台の台番号が予約された予約台と、該予約台以外の空き台との表示態様を区別してホールマップ（遊技場の俯瞰図）を表示する。
【００７８】
かかるホールマップによれば、既に他の遊技客によって予約されている遊技台と、未だ予約されていない空き台とを明確に把握させることができ、遊技客が遊技先として所望する遊技台を容易に選択させることが可能になる。
【００７９】
また、実施例１では、同一の入場予約について単一の「整理券」を発行することとしたが、本発明はこれに限定されるものではなく、同一の入場予約について複数の「整理券」を発行するようにしても良い。例えば、「入場整理情報」を示すバーコードが印字された「整理券」の他に、バーコードが印字されていない「整理券控え」をさらに発行するようにしても良い。
【００８０】
なお、実施例１では、全ての遊技客に等しく「整理券」を発券する整理券発行機２０について説明したが、本発明はこれに限定されるものではなく、会員用記録媒体を挿入した遊技客（所定の手続を経た会員）でなければ「整理券」を発行しないように整理券発行機２０を構成し、遊技店への会員登録を促進するようにしても良い。
【００８１】
（２）遊技機種または台番号の抽選
例えば、実施例１では、遊技機種または台番号を抽選する際に、各遊技客に対して同一の確率で「当選」或いは「落選」を抽選することとしたが、本発明はこれに限定されるものではなく、「当選」或いは「落選」の抽選を行う際に、会員用記録媒体（例えば、会員カードなど）が挿入されていたならば、会員である遊技客については、他の遊技客に比較して「当選」する確率を上げたり、さらに、希望の遊技機種または台番号の遊技台に高確率で当選するように抽選の確率設定を変更するようにしても良い。また、同じ会員であっても、遊技店への貢献度（各会員が所持するポイント数の多寡）に応じてさらに差別化を図るようにしても良い。このポイント数は、当該会員の投資額や来店回数等の条件に応じて加算されるものであり、ポイント数が多い程、遊技店への貢献度が大きいと判断される。
【００８２】
また、実施例１では、入場予約を行う全ての遊技客について予約対象となる遊技台の台番号の抽選を行うこととしたが、本発明はこれに限定されるものではなく、所定の先着名については、予約対象となる遊技台を図７に示すホールマップから選択させ、その他、先着外の遊技客については、同様に抽選にて予約対象となる遊技台を決定するようにしても良い。
【００８３】
なお、実施例１では、抽選処理部２５ａを整理券発行機２０に設けることとしたが、本発明はこれに限定されるものではなく、整理券発行機２０に代えてＴ／Ｃ１０が抽選処理部２５ａの機能を有するように入場管理システムを構成しても良いし、整理券発行機２０およびＴ／Ｃ１０の双方が抽選処理部２５ａの機能を有するように入場管理システムを構成するようにしても良い。
【００８４】
（３）その他
例えば、遊技客によって入場予約が行われる際に条件選択画面７００や遊技機種再選択画面７２０で受け付けた遊技客による「遊技機種」の指定順位を蓄積し、「遊技機種」の人気分析に利用するようにしても良い。
【００８５】
より詳細には、会員である遊技客から入場予約に係る条件選択を受け付けた場合に、当該会員が選択した遊技機種を選択順に記憶（格納）手段（例えば、会員管理ＤＢ）に記憶することで（図８参照）、遊技客が遊技を希望する遊技機種の優先順位や、各遊技機種が予約希望台として選択された件数を集計することができる。すなわち、これによって、遊技店では、各会員の遊技機種の嗜好や遊技台の人気傾向を分析することができ、遊技店の運営方針に有用な情報を取得することが可能になる。
【００８６】
また、本発明では、整理券発行機２０に挿入された会員用記録媒体に「入場整理情報」を記録し、この会員用記録媒体に記録された「入場整理情報」を貸出処理機（例えば、カード処理ユニットやメダル貸しユニットなど）が有するＣ／Ｒ（カードリーダ）で読み出すように入場管理システムを構成しても良い。
【００８７】
このように入場管理システムを構成した場合には、「入場整理情報」に併せて会員ＩＤをも入場管理ＤＢ１４で管理することができるため、入場予約受付時と着席時の会員ＩＤを比較することにより、遊技台に着席した遊技客が当該遊技台に着席すべき会員であるか否かの正誤まで判定することが可能になる。
【００８８】
また、これによって、「整理券」として遊技客に発行する記録媒体を不要化し、遊技店の入場管理に要する費用を効果的に削減することができる。さらに、従業員による「整理券」の読取操作を不要化し、従業員の入場管理に係る業務を簡素化することができる。
【００８９】
また、本発明では、「入場整理情報」が記録された記録媒体として「ＩＣタグ」を適用し、情報読取装置としてＩＣタグの「リーダライタ」を適用するようしても良い。すなわち、これによって、従業員が「整理券」の読取操作を行わずとも、Ｔ／Ｃ１０の入場管理ＤＢ１４で記憶管理される遊技店への来場可否または遊技場への入場可否を更新することができ、従業員の入場整理に係る業務を簡素化することができる。
【００９０】
また、実施例１では、整理券発行機２０およびバーコードリーダ３０をそれぞれ一つずつ設けた入場管理システムについて説明したが、本発明はこれに限定されるものではなく、整理券発行機２０またはバーコードリーダ３０のいずれかを複数設けても良いし、また、整理券発行機２０およびバーコードリーダ３０の双方を複数設けるように入場管理システムを構成するようにしても良い。
【００９１】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００９２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００９３】
以上のように、本発明に係る入場管理システムおよび入場管理方法は、遊技客の遊技場への入場を管理する入場管理システムおよび入場管理方法に有用であり、特に、遊技場内の空き台の再配分を適確に行うことができる入場管理システムおよび入場管理方法に適している。
【図面の簡単な説明】
【００９４】
【図１】本発明に係る入場管理システムの概要および特徴を説明するための説明図である。
【図２】本実施例１に係る入場管理システムの構成を示すシステム構成図である。
【図３−１】入場管理ＤＢに記憶される情報の構成例を示す図である。
【図３−２】入場管理ＤＢに記憶される情報の構成例を示す図である。
【図４】整理券発行機の表示入力部で表示される画面の構成例を示す図である。
【図５】本実施例１に係る整理券発行処理の手順を示すフローチャートである。
【図６】本実施例１に係る情報読取処理の手順を示すフローチャートである。
【図７】遊技場の俯瞰図（ホールマップ）の一例を示す図である。
【図８】会員管理ＤＢに追加される情報の一例を示す図である。
【符号の説明】
【００９５】
１    入場管理システム
１０    管理装置（Ｔ／Ｃ）
１１    入力部
１２    出力部
１３    通信部
１４    入場管理ＤＢ
１５    主制御部
１５ａ  予約受付可否更新部
１５ｂ  来場可否更新部
２０    整理券発行機
２１    表示入力部
２２    印字部
２３    通信部
２４    記憶部
２５    制御部
２５ａ  抽選処理部
２５ｂ  整理券発行制御部
２５ｃ  入場予約情報通知部
３０    バーコードリーダ
３１    入力部
３２    出力部
３３    通信部
３４    バーコード読取部
３５    制御部
３５ａ  来場情報通知部
【図１】
0004812346.tif 000002
【図２】
0004812346.tif 000003
【図３−１】
0004812346.tif 000004
【図３−２】
0004812346.tif 000005
【図４】
0004812346.tif 000006
【図５】
0004812346.tif 000007
【図６】
0004812346.tif 000008
【図７】
0004812346.tif 000009
【図８】
0004812346.tif 000010